(57)【要約】【課題】  スマートフォン、携帯電話、デジタル音楽プレイヤーなどの携帯機器を自動車のダッシュボード上に滑らず安定して保持することができる自動車用携帯機器ホルダを提供する。【解決手段】  ベースプレート（２）と該ベースプレート（２）から立設された複数の凸設部（３）とから本体（１）を形成するとともに、該本体（１）は粘着性と柔軟性を備えたエラストマー素材で形成され、該凸設部（３）は、前方が低くなるように傾斜し、前方と後方に備えられた段部（３ａ）と、中央に備えられた切欠部（３ｂ）とから形成した。【選択図】図１
2013169968.tif 000002
【特許請求の範囲】
【請求項１】
ベースプレートと該ベースプレートから立設された複数の凸設部とから本体を形成するとともに、該本体は粘着性と柔軟性を備えたエラストマー素材で形成され、該凸設部は、前方が低くなるように傾斜し、前方と後方に備えられた段部と、中央に備えられた切欠部とから形成されていることを特徴とする自動車用携帯機器ホルダ。
【発明の詳細な説明】
【技術分野】
【０００１】  本発明は、スマートフォン、携帯電話、デジタル音楽プレイヤーなど携帯機器を自動車のダッシュボード上に保持するためのホルダに関し、特に保持した携帯機器が滑り落ちることを防止することができる自動車ダッシュボード用の携帯機器ホルダに関する。
【背景技術】
【０００２】  従来、携帯電話機やデジタル音楽プレイヤーなどの携帯機器を自動車内に載置するためのホルダがある。これらのホルダは、携帯機器の両側面を挟持する左右一対のアーム部とダッシュボード上などに取り付けるための取付ベースとからなるものが多く提案されている。例えば、特開２００８−２０２７７１号公報（特許文献１）に開示された「物品ホルダ」は、本体の取付ベースをダッシュボード上などに取り付けて、本体の背面部左右両端から前方へ延設する左右一対のアーム部によって携帯機器の両側面を挟持して自動車の車室内において携帯機器を保持するものである。【０００３】  また、自動車のダッシュボード上に敷いて、携帯電話、眼鏡、ＭＰ３プレイヤーなどの小物類が滑り落ちることを防止するシリコーン製の滑り止めマットが提案されている。例えば、実用新案登録第３１４１３０６号公報（特許文献２）に開示された「自動車ダッシュボード用滑り止めマット」は、吸着性、柔軟性、弾力性を有するシリコーン材からなる自動車ダッシュボード用の滑り止めマットで、本体の上に置いた小物が自動車の発進や停止時、コーナリングでずれたり落下したりすることがない。
【先行技術文献】
【特許文献】
【０００４】
【特許文献１】  特開２００８−２０２７７１号公報
【特許文献２】  実用新案登録第３１４１３０６号公報
【発明の開示】
【発明が解決しようとする課題】
【０００５】  ところで、特許文献１の「物品ホルダ」は、携帯機器のディスプレイが視認しやすいように保持することができるが、本体の取付ベースとダッシュボードとを両面粘着テープなどで取り付けるので、一端取り付けてしまうと剥がすことは容易でなく他所に移動することができなかったり、剥がしても両面粘着テープの糊がダッシュボードに残ったりなどといった不都合があった。また、保持することができる携帯機器は１台のみで、携帯電話機とデジタル音楽プレイヤーを同時に保持することができない。【０００６】  また、特許文献２の「自動車ダッシュボード用滑り止めマット」は、吸着性、柔軟性、弾力性を有するシリコーン材からなるので、ダッシュボード上に置いた位置を容易に変えることができるが、マットの上に置いた携帯機器は単に平らに置かれるに過ぎず、ディスプレイの視認をすることはできないという不都合があった。【０００７】  そこで本発明は、これらの課題を解決するとともに、スマートフォン、携帯電話、デジタル音楽プレイヤーなどの携帯機器を自動車のダッシュボード上に滑らず安定して保持することができる自動車用携帯機器ホルダを提供することを目的とする。
【課題を解決するための手段】
【０００８】  ベースプレートと該ベースプレートから立設された複数の凸設部とから本体を形成するとともに、該本体は粘着性と柔軟性を備えたエラストマー素材で形成され、該凸設部は、前方が低くなるように傾斜し、前方と後方に備えられた段部と、中央に備えられた切欠部とから形成されていることで解決される。
【発明の効果】
【０００９】  ベースプレートと該ベースプレートから立設された複数の凸設部とから本体を形成するとともに、該本体は粘着性と柔軟性を備えたエラストマー素材で形成され、該凸設部は、前方が低くなるように傾斜し、前方と後方に備えられた段部と、中央に備えられた切欠部とから形成されているので、自動車のダッシュボード上に置いて使用したときに、ダッシュボードのなだらかな曲面にベースプレート面が追従して馴染むとともに弱い粘着性によって滑り止め効果を有する。このため自動車の可減速時における縦Ｇやコーナリング時における横Ｇがかかったとしてもダッシュボード上の本体が移動したり滑落したりすることがない。また、本体に保持された携帯機器は、従来例のように携帯機器の両側面をしっかり挟持せずともその滑り止め効果によって脱落することがなく、本体自体も保持した携帯機器の重量によってさらなる滑り止め効果を得ることができる。
【図面の簡単な説明】
【００１０】
【図１】本発明の自動車用携帯機器ホルダの正面側から見た斜視図である。
【図２】本発明の自動車用携帯機器ホルダの右側面図である。
【図３】携帯機器を保持した状態を示す斜視図である。
【図４】携帯機器を保持した状態を示す斜視図である。
【図５】携帯機器を保持した状態を示す斜視図である。
【図６】携帯機器を保持した状態を示す斜視図である。
【発明を実施するための形態】
【実施例】
【００１１】  本発明の自動車用携帯機器ホルダについて、図面を参照し詳細に説明する。図１は、本発明の自動車用携帯機器ホルダの正面側から見た斜視図、図２は、本発明の自動車用携帯機器ホルダの右側面図である。【００１２】  自動車用携帯機器ホルダの本体（１）は、ベースプレート（２）と該ベースプレート（２）から立設された複数の凸設部（３）とからなり粘着性と柔軟性を備えたエラストマー素材で形成されている。エラストマー素材のなかで特に粘着性と柔軟性を備えたシリコーン素材が好適に用いられる。凸設部（３）は、前方が低くなるように傾斜し、前方と後方に備えられた段部（３ａ）と、中央に備えられた切欠部（３ｂ）とから形成される。このように形成された凸設部（３）は、ベースプレート（２）の上面に、横方向に間隔を空けて複数立設される。このように形成された本体（１）は、自動車のダッシュボード上に置いて使用するが、本体（１）は、粘着性と柔軟性を備えたシリコーン素材で一体に形成されているので、ダッシュボードのなだらかな曲面にベースプレート（２）の面が追従して馴染むとともに弱い粘着性によって滑り止め効果を有する。このため自動車の可減速時における縦Ｇやコーナリング時における横Ｇがかかったとしてもダッシュボード上の本体（１）が移動したり滑落したりすることがない。また、本体（１）に保持された携帯機器（４）は、特許文献１の「物品ホルダ」のように携帯機器（４）の両側面を挟持せずともその滑り止め効果によって脱落することがなく、本体（１）自体も保持した携帯機器（４）の重量によってさらなる滑り止め効果を得ることができる。【００１３】  図３乃至図６は、携帯機器（４）を保持した状態を示す斜視図である。図において携帯機器（４）はスマートフォンで表している。【００１４】  図３は、携帯機器（４）を左端の凸設部（３）とその右隣の凸設部（３）との間に保持した状態を示している。この使用状態では、さらに右方向の凸設部（３）間にあと２台の携帯機器を保持することができる。昨今では、スマートフォンと携帯電話機や、携帯電話機とデジタル音楽プレイヤーなど複数の携帯機器を同時に所持していることが普通であるので、本体（１）に複数の携帯機器を保持することができ利便性の向上を実現した。また、図３のように携帯機器（４）を保持させた状態では、携帯機器（４）の前後方向に障害物が存在しないので、充電や出力のためのコネクター（５）の接続を妨げず優れた使い勝手を実現した。【００１５】  図４及び図５は、携帯機器（４）を凸設部（３）の中央に備えられた切欠部（３ｂ）に保持した状態を示したもので、携帯機器（４）は複数の切欠部（３ｂ）によって安定して確実に保持される。この使用状態では、本体（１）の弱い粘着性を有する素材の特性によって、図５に示すように携帯機器（４）をディスプレイが視認しやすい角度に維持することができる。視点（眼の位置）と本体（１）が置かれたダッシュボード高低差に応じた視認性の良い角度に容易に維持することができるので、携帯機器（４）のディスプレイの視認性の向上を実現した。昨今ではスマートフォンをナビゲーションとして利用することが可能であるのでその際は特に使い勝手に優れる。また、図３の��態と同様に携帯機器（４）を保持させた状態では、携帯機器（４）の左右方向に障害物が存在しないので、充電や出力のためのコネクター（５）の接続を妨げず優れた使い勝手を実現した。【００１６】  図６は、携帯機器（４）を凸設部（３）の前方と後方に備えられた段部（３ａ）に保持した状態を示したもので、携帯機器（４）は、複数の凸設部（３）の段部（３ａ）によって安定して確実に保持される。また、凸設部（３）は前方が低くなるように傾斜しているので、平らに置くことと比較して携帯機器（４）は適度に視認しやすい角度に前方に傾斜して保持される。さらに、図４の状態と同様に携帯機器（４）を保持させた状態では、携帯機器（４）の左右方向に障害物が存在しないので、充電や出力のためのコネクター（５）の接続を妨げず優れた使い勝手を実現した。【００１７】  なお、本体（１）は、ベースプレート（２）と該ベースプレート（２）から立設された複数の凸設部（３）とは粘着性と柔軟性を備えたエラストマー素材で形成されているが、ベースプレート（２）と凸設部（３）とを一体に形成しても別体に形成してもよい。また、凸設部（３）の切欠部（３ｂ）は、中央に備えられているが凸設部（３）の前方と後方に複数備えてもよい。この場合は、複数の携帯機器（４）を保持することが可能となる。
【符号の説明】
【００１８】１          本体
２          ベースプレート
３          凸設部
３ａ        段部
３ｂ        切欠部
４          携帯機器
５          コネクター
【図１】
2013169968.tif 000003
【図２】
2013169968.tif 000004
【図３】
2013169968.tif 000005
【図４】
2013169968.tif 000006
【図５】
2013169968.tif 000007
【図６】
2013169968.tif 000008